(57)【特許請求の範囲】
【請求項１】
開閉扉の自由端部に枢着されたガードアームが開口枠に固定的に設けられた受け杆装置の受け杆に係合し、開閉扉の開放角度を制限する扉の補助錠に於いて、前記ガードアームに磁性体を固着し、一方、前記受け杆装置には、ガードアームが受け杆装置の前壁から離れた場合、前記受け杆はバネ部材のバネ力により収納体内をスライドする金属製の摺動体を介して後退し、一方、ガードアームを施錠の位置へと回転した場合、前記摺動体は磁性体の磁力によりバネ部材のバネ力に抗して吸引され、前記受け杆はガードアームの挿通部に入り込むことを特徴とする扉の補助錠。
【請求項２】
請求項１に於いて、この受け杆装置４の収納体１１は、嵌合凹所１７を有する前壁１２と、この前壁に固定的に取付けられた案内箱１６とから成り、ガードアーム５が受け杆装置の前壁から離れた場合、受け杆１４の頭部１４ａは、収納体内をスライドする摺動体１３を介し、前記嵌合凹所に嵌合することを特徴とする扉の補助錠。
【請求項３】
請求項１又は請求項２に於いて、摺動体１３は、断面リップミゾ形鋼形状に形成されていることを特徴とする扉の補助錠。
【請求項４】
開閉扉の自由端部に枢着されたガードアームが開口枠に固定的に設けられた受け杆装置の受け杆に係合し、開閉扉の開放角度を制限する扉の補助錠に於いて、前記ガードアームに第１の磁性体を固着し、一方、前記受け杆装置には、ガードアームが受け杆装置の前壁から離れた場合、前記受け杆はバネ部材のバネ力により収納体内をスライドする摺動体を介して後退し、一方、ガードアームを施錠の位置へと回転した場合、前記第１の磁性体に対極する第２の磁性体を有する前記摺動体は、これらの磁性体の吸引力によりバネ部材のバネ力に抗して吸引され、前記受け杆はガードアームの挿通部に入り込むことを特徴とする扉の補助錠。
【請求項５】
請求項４に於いて、この受け杆装置４の収納体１１Ａは、嵌合凹所１７を有する前壁１２Ａと、この前壁に固定的に取付けられた案内箱１６とから成り、ガードアーム５Ａが受け杆装置の前壁１２Ａから離れた場合、受け杆１４Ａの頭部１４ａは、収納体内をスライドする摺動体１３Ａを介し、前記嵌合凹所に嵌合することを特徴とする扉の補助錠。
【請求項６】
請求項４又は請求項５に於いて、摺動体１３Ａは、断面リップミゾ形鋼形状に形成され、ガードアーム５Ａの第１の磁性体９Ａに対極する第２の磁性体３０は、収納体１１Ａの前壁１２Ａと当接する摺動体１３Ａの当接部２１に固着されていることを特徴とする扉の補助錠。
【発明の詳細な説明】
【０００１】
【発明の属する技術分野】
本発明は扉の補助錠に関する。この補助錠は、居住者が来訪者の確認のため扉を一部開放する場合に使用される。
【０００２】
【従来の技術】
従来、この扉の補助錠は、例えば開口枠の縦枠に固定的に設けられ、かつ、水平方向に出没する受け杆を収容する受け杆装置と、一方、開閉扉の自由端部に取付けられ、開閉扉の閉鎖時に受け杆装置側へ手動で回転された後に前記受け杆と係合可能なガードアームとから成り、前記受け杆はガードアームを施錠の位置へと回転した時に、ガードアームの内壁面に押される受け杆装置側の作動突起及び連動レバーを介してガードアームの挿通部に入り込むことを特徴とする。
【０００３】
このような実施例は、ガードアームを施錠の位置へと回転した時に受け杆が自動的に突出すると言う利点を有する反面、ガードアームを受け杆装置の前壁に押し当てないと、受け杆の頭部はガードアームの挿通部を完璧に貫通しない言う欠点があった。またガードアームに押圧される作動突起及び連動レバーを組合わせている関係上、ガードアームの上下の幅を幅広に形成しなければならず、ガードアームの小片化を図ることが困難であると言う欠点があった。さらに、施錠時以外は、受け杆の頭部並びに作動突起が受け杆装置の前壁から突出していると言う欠点も問題があった。
【０００４】
【発明が解決しようとする課題】
本発明の第１の目的は、ガードアームを施錠の位置へと回転した時に受け杆が自動的に突出すると言う従来の利点を少ない構成部品で達成することができることである。また本発明の第２の目的は、ガードアームの小片化を図ることが容易であることである。さらに、本発明の第３の目的は、施錠時以外受け杆装置を構成する部材の一部が前壁から突出しないことである。
【０００５】
【課題を解決するための手段】
本発明の扉の補助錠は、開閉扉の自由端部に枢着されたガードアームが開口枠に固定的に設けられた受け杆装置の受け杆に係合し、開閉扉の開放角度を制限する扉の補助錠に於いて、前記ガードアームに磁性体を固着し、一方、前記受け杆装置には、ガードアームが受け杆装置の前壁から離れた場合、前記受け杆はバネ部材のバネ力により収納体内をスライドする金属製の摺動体を介して後退し、一方、ガードアームを施錠の位置へと回転した場合、前記摺動体は磁性体の磁力によりバネ部材のバネ力に抗して吸引され、前記受け杆はガードアームの挿通部に入り込むことを特徴とする。
【０００６】
また本発明の扉の補助錠は、開閉扉の自由端部に枢着されたガードアームが開口枠に固定的に設けられた受け杆装置の受け杆に係合し、開閉扉の開放角度を制限する扉の補助錠に於いて、前記ガードアームに第１の磁性体を固着し、一方、前記受け杆装置には、ガードアームが受け杆装置の前壁から離れた場合、前記受け杆はバネ部材のバネ力により収納体内をスライドする摺動体を介して後退し、一方、ガードアームを施錠の位置へと回転した場合、前記第１の磁性体に対極する第２の磁性体を有する前記摺動体は、これらの磁性体の吸引力によりバネ部材のバネ力に抗して吸引され、前記受け杆はガードアームの挿通部に入り込むことを特徴とする。
【０００７】
上記各発明に於いて、この受け杆装置の収納体は、嵌合凹所を有する前壁と、この前壁に固定的に取付けられた案内箱とから成り、ガードアームが受け杆装置の前壁から離れた場合、受け杆の頭部は、収納体内をスライドする摺動体を介し、前記嵌合凹所に嵌合することを特徴とする。
【０００８】
【発明の実施の形態】
図面に示す本発明の実施の形態を建物の出入り口の開口枠と開閉扉との関係で説明する。図１乃至図７は第１実施例である。１は建物の出入り口の開口枠である。２はこの開口枠１に対して設けられた開閉扉である。３は開口枠１及び開閉扉２にそれぞれ組合わせ構成部材が取付けられ、居住者の安全のために開閉扉２の開放度合い制限する補助錠である。したがって、開閉扉２には図示しない主たる錠装置が取付けられている。
【０００９】
補助錠３は、開口枠１の縦枠１ａに固定的に設けられ、かつ、水平方向に出没する受け杆を収容する受け杆装置４と、一方、開閉扉２の自由端部に取付けられ、開閉扉の閉鎖時に受け杆装置側（施錠の位置）へ手動で回転された後に前記受け杆と係合可能なガードアーム５とから成る。本発明の補助錠３は、この受け杆装置４とガードアーム５の両方に特徴がある。
【００１０】
そこで、まずガードアーム５について説明する。ガードアーム５は開閉扉２の自由端部の内壁面にネジ止めされた固定片６に基端部が枢支され、受け杆装置４の収納体に対向できるように水平方向に回転する。しかして、７は受け杆の頭部が挿通可能な挿通部で、この挿通部７には摺動する受け杆を案内する係止長孔部８が連通している。
【００１１】
９はガードアーム５の基端部寄りの部位に設けられた複数個の磁性体である。これらの磁性体９は、図５乃至図７で示すようにガードアーム５内にそれぞれカシメ固定され、上下に一対設けられている。これらの磁性体９、９は、開閉扉２の閉鎖時にガードアーム５が受け杆装置４側に回転すると、丁度受け杆を中心として上下に位置し、かつ、受け杆装置４の収納体の前壁に接触可能に対向する。
【００１２】
次に受け杆装置４について説明する。この受け杆装置４は前述したように開口枠１の縦枠１ａ内に固定的に設けられ、そのボックス状収納体１１の前壁１２は、望ましくは図１又は図４で示すように縦枠１ａから突出しない。
【００１３】
この受け杆装置４は、ボックス状収納体１１と、この収納体１１に進退動可能に収納された金属製の摺動体１３と、頭部１４ａは収納体１１の前壁１２から突出すると共に、後端部１４ｂがこの摺動体１３に固定された受け杆１４と、収納体１１に内装されかつガードアーム５側の磁性体９の吸引力よりもバネ力が小さい受け杆用復帰バネ１５とから構成されている。
【００１４】
しかして、前記ボックス状収納体１１は、非磁性体（スチール製、アルミ製など）である断面ハット型形状の前壁１２と、この前壁１２の内壁面に固定的に取付けられる上下の垂直固定部１６ａ、１６ａ、これらの垂直固定部１６ａ、１６ａと連設する矩形筒部１６ｂ及び矩形筒部を閉鎖する垂直後端部１６ｃをそれぞれ有する案内箱１６とから成る。本実施例では前壁１２の中央部には受け杆１４の頭部１４ａが嵌合する嵌合凹所１７が形成され、この嵌合凹所１７の内面の中央部には受け杆１４の首部を案内する貫通孔１８が設けられている。受け杆１４の頭部１４ａは、該受け杆１４が復帰バネ１５により復帰すると、丁度嵌合凹所に入り込み、前壁１２から突出しない。
【００１５】
また前記摺動体１３は断面リップミゾ形鋼形状に形成されている。そして、垂直後端部１３ａの中央部には前記貫通孔１８と同軸線上に位置する取付け孔２０が形成されている。またこの垂直後端部１３ａの上下端部からそれぞれ前方に延びる水平部１３ｂ、１３ｂの各先端部は内側に略９０度折曲され、前壁１２の上下の内面と面接触する当接部２１、２１と成っている。
【００１６】
また受け杆用復帰バネ１５は、本実施例では、前壁１２と摺動体１３との間に位置し、受け杆１４の首部に巻装されている。なお、２２は受け杆１４の首部の後端部１４ｂに突設されたガタ防止並びに受け杆固定用の突起、２３は抜け防止用のリングである。
【００１７】
上記構成に於いて、図１で示すようにガードアーム５が受け杆装置４の前壁１２から離れた場合、図２で示すように受け杆装置４の受け杆１４は、復帰バネ１５のバネ力により収納体１１の内部に自動的に後退し、その頭部１４ａは前壁１２の嵌合凹所１７内に嵌合する。この場合受け杆１４の頭部１４ａは前壁１２或いは縦枠１ａから突出しない。
【００１８】
一方、図４で示すようにガードアーム５が受け杆装置４の収納体１１の前壁１２に位置した場合、すなわち、居住者が補助錠３を施錠するために手動でそのガードアーム５を施錠の位置へと回転した場合には、図５及び図６で示すようにガードアーム５の上下の磁性体９、９は、受け杆装置４の前壁１２と対向する。そうすると、収納体１１の奥に位置していた摺動体１３は、直ちにこれらの磁性体９、９の磁力により吸引され、復帰バネ１５のバネ力に抗して案内箱１６内をスライドしながら前進する。
【００１９】
そうすると、摺動体１３と一体である受け杆１４は、前壁１２の嵌合凹所１７から突出すると共に、ガードアーム５の挿通部７に自動的に入り込む。この時受け杆１４の頭部１４ａは前記挿通部７を多少余裕を持った状態で貫通すると共に、摺動体１３の当接部２１、２１は前壁１２の内面に面接触する。
【００２０】
そこで、開閉扉２を開くと、該開閉扉２と共にガードアーム５も移動するが、この時ガードアーム５の係止長孔部８内に受け杆１４の首部が入り込むや否や、受け杆１４の頭部１４ａはガードアーム５の係止長孔部８側に確実に係止される。すなわち、この場合開閉扉２を開き、その結果、ガードアーム５の磁性体９、９が収納箱１１内の摺動体１３から離れると、受け杆１４は復帰バネ１５のバネ力により多少後退し、その頭部１４ａはガードアーム５の係止長孔部８側に確実に係止される。
【００２１】
【実施例】
まず発明の実施の形態で説明した第１実施例に於いて、磁性体９としては磁石が使用される。磁性体９はガードアーム５の基端部寄りの内部に埋設されているが、必ずしも埋設する必要はなく、例えばガードアーム５の基端部寄りの内壁面に板状の磁性体を固定的に設けても良い。また磁性体９はガードアーム５に合計２個設けられているが、摺動体１３を吸引可能であれば１個でも良い。また収納体１１はボックス状に形成されているが、筒状に形成しても良い。この場合摺動体１３は外筒体としての収納体１１に対して内筒体の形状に設計変更する必要があるが、望ましくは回転しないよう断面矩形の筒体にすべきである。またバネ部材の一例としての復帰バネ１５は前壁１２と摺動体１３との間に位置しているが、摺動体１３と案内箱１６の垂直後端部１６ｃとの間に位置する引っ張りバネでも良い。さらに、ガードアーム５の基端部は多少湾曲形成しても良い。
【００２２】
次に図８及び図９に基づき第２実施例を説明する。なお、この実施例の説明に当たって、発明の実施の形態で説明した第１実施例と同一の部分には同一又は同様の符号を付し、重複する説明を省略する。
【００２３】
この第２実施例は、摺動体１３Ａに磁性体３０を設けた点が第１実施例と異なる。すなわち、第１実施例と同じくガードアーム５Ａの基端部寄りの部位には第１の磁性体９Ａ、９Ａが埋設されている。これに対し、摺動体１３Ａの上下の当接部２１Ａ、２１Ａの前面には、ガードアーム５Ａの第１の磁性体９Ａ、９Ａに対極する第２の磁性体３０、３０がそれぞれ固定的に設けられている。なお、１１Ａは収納体、１２Ａは前壁である。
【００２４】
このように構成すると、ガードアーム５Ａ側の第１の磁性体９Ａ、９Ａと摺動体１３Ａ側の第２の磁性体３０、３０とが互いに吸引し合うので、第１実施例よりも強い吸引力により摺動体１３Ａを移動させることができる。
【００２５】
【発明の効果】
以上の説明から明らかなように、本発明にあっては次に列挙するような効果がある。
（１）少ない構成部品により、ガードアームを施錠の位置へと回転した時に受け杆が自動的に突出する。
（２）ガードアームに磁性体が設けられているから、ガードアームの小片化を図ることが容易である。
（３）施錠時以外受け杆装置を構成する部材の一部が前壁から突出しない。したがって、受け杆装置側の突起部（部材）が邪魔にならない。
【図面の簡単な説明】
図１乃至図７は本発明の実施の形態を第１実施例を用いて説明する各説明図。図８及び図９は本発明の第２実施例を示す各説明図である。
各説明図。
【図１】ガードアームが受け杆装置の前壁から離れた状態の斜視図。
【図２】図１に於ける受け杆装置の概略断面説明図。
【図３】主要部の分解斜視図。
【図４】ガードアームを施錠の位置へと回転した状態の斜視図。
【図５】図４に於ける受け杆装置の概略断面説明図。
【図６】ガードアームと受け杆装置の関係を示す正面からの説明図。
【図７】要部の概略断面説明図。
【図８】主要部の分解斜視図。
【図９】ガードアームを施錠の位置へと回転した場合に於ける図５と同様の概略断面説明図。
【符号の説明】
１…開口枠、２…開閉扉、３…補助錠、４…受け装置、５、５Ａ…ガードアーム、７…挿通部、８…係止長孔部、９、９Ａ、３０…磁性体、１１、１１Ａ…収納体、１２、１２Ａ…前壁、１３、１３Ａ…摺動体、１４…受け杆、１４ａ…頭部、１５…バネ部材、１６…案内箱、２１、２１Ａ…当接部。
【図１】
0003677349.tif 000002
【図２】
0003677349.tif 000003
【図３】
0003677349.tif 000004
【図４】
0003677349.tif 000005
【図５】
0003677349.tif 000006
【図６】
0003677349.tif 000007
【図７】
0003677349.tif 000008
【図８】
0003677349.tif 000009
【図９】
0003677349.tif 000010